【手続補正書】
【提出日】平成19年12月10日(2007.12.10)
【手続補正１】
【補正対象書類名】明細書
【補正対象項目名】特許請求の範囲
【補正方法】変更
【補正の内容】
【特許請求の範囲】
【請求項１】  原稿を光電的に読み取る複数のイメージ・スキャナを利用可能とし、利用可能に接続された該イメージ・スキャナを制御して該イメージ・スキャナから出力された画像データを入力する情報処理装置において、
前記複数のイメージ・スキャナを対象にして、動作内容をユーザーに設定させるための設定情報を含んで表示をするとともに、該表示に基づいてユーザーが設定した設定情報とユーザーの指示情報を受け付ける設定情報受付手段と、
前記複数のイメージ・スキャナのうち、前記設定情報受付手段で受け付けた前記設定情報を許容するイメージ・スキャナを選択する選択手段と、
前記選択手段で選択した結果を表示し、ユーザー指示を受け付ける結果処理手段と、
前記結果処理手段からのユーザー指示が前記選択したイメージ・スキャナに対する読み取り指示の場合、前記選択手段で選択したイメージ・スキャナに対して、前記設定情報受付手段で受け付けた前記設定情報を使用して読み取り実行指示を行う実行指示手段
を備えることを特徴とする情報処理装置。
【請求項２】  前記設定情報受付手段において、ユーザーに設定させるための情報は、画像の種類、解像度そして原稿サイズのそれぞれの項目を含むことを特徴とする請求項１に記載の情報処理装置。
【請求項３】  前記設定情報受付手段において、画像の種類、解像度そして原稿サイズのそれぞれの項目についてあらかじめ定められた選択肢を表示することを特徴とする請求項１に記載の情報処理装置。
【請求項４】  前記画像の種類の選択肢は、２値のモノクロ、階調を有するモノクロ、そしてカラーを含むことを特徴とする請求項３に記載の情報処理装置。
【請求項５】  利用可能なイメージ・スキャナの装置情報を含むあらかじめ登録したイメージ・スキャナに関する情報を有し、前記選択手段は該情報に基づいて選択し、前記結果処理手段は該情報に使用して選択した結果のガイダンスを表示することを特徴とする請求項１に記載の情報処理装置。
【請求項６】  原稿を光電的に読み取る複数のイメージ・スキャナを利用可能とし、利用可能に接続された該イメージ・スキャナを制御して該イメージ・スキャナから出力された画像データを入力する情報処理方法において、
ユーザーからの入力を受け付けるステップと、
前記ユーザーからの入力に応じて、前記複数のイメージ・スキャナを対象にして、動作内容をユーザーに設定させるための設定情報を含んで表示をするとともに、該表示に基づいてユーザーが設定した設定情報とユーザーの指示情報を受け付ける設定情報受付ステップと、
前記設定情報受付ステップにおいて受け付けた設定情報を、前記複数のイメージ・スキャナのいずれが許容するかを決定するスキャナ決定ステップと、
前記スキャナ決定ステップで決定したスキャナについての情報をユーザーに提示し、ユーザーからの指示を受け付ける結果処理ステップと、
前記結果処理ステップで受け付けたユーザー指示が前記決定したイメージ・スキャナに対する読み取り指示を示す場合、前記決定したイメージ・スキャナに対して、前記設定情報受付ステップで受け付けた前記設定情報を使用して読み取り実行指示を行う実行指示ステップ
を備えることを特徴とする情報処理方法。
【手続補正２】
【補正対象書類名】明細書
【補正対象項目名】０００５
【補正方法】変更
【補正の内容】
【０００５】
【課題を解決するための手段】
本発明は、このような目的を達成するために、請求項１に記載の発明は、情報処理装置であって、原稿を光電的に読み取る複数のイメージ・スキャナを利用可能とし、利用可能に接続された該イメージ・スキャナを制御して該イメージ・スキャナから出力された画像データを入力する情報処理装置において、前記複数のイメージ・スキャナを対象にして、動作内容をユーザーに設定させるための設定情報を含んで表示をするとともに、該表示に基づいてユーザーが設定した設定情報とユーザーの指示情報を受け付ける設定情報受付手段と、前記複数のイメージ・スキャナのうち、前記設定情報受付手段で受け付けた前記設定情報を許容するイメージ・スキャナを選択する選択手段と、前記選択手段で選択した結果を表示し、ユーザー指示を受け付ける結果処理手段と、前記結果処理手段からのユーザー指示が前記選択したイメージ・スキャナに対する読み取り指示の場合、前記選択手段で選択したイメージ・スキャナに対して、前記設定情報受付手段で受け付けた前記設定情報を使用して読み取り実行指示を行う実行指示手段を備えることを特徴とするものである。
【手続補正３】
【補正対象書類名】明細書
【補正対象項目名】０００７
【補正方法】変更
【補正の内容】
【０００７】
また、請求項３に記載の発明は、請求項１に記載の情報処理装置であって、前記設定情報受付手段において、画像の種類、解像度そして原稿サイズのそれぞれの項目についてあらかじめ定められた選択肢を表示することを特徴とするものである。
【手続補正４】
【補正対象書類名】明細書
【補正対象項目名】０００８
【補正方法】変更
【補正の内容】
【０００８】
また、請求項４に記載の発明は、請求項３に記載の情報処理装置において、前記画像の種類の選択肢は、２値のモノクロ、階調を有するモノクロ、そしてカラーを含むことを特徴とするものである。
【手続補正５】
【補正対象書類名】明細書
【補正対象項目名】００１０
【補正方法】変更
【補正の内容】
【００１０】
また、請求項６に記載の発明は、情報処理方法であって、原稿を光電的に読み取る複数のイメージ・スキャナを利用可能とし、利用可能に接続された該イメージ・スキャナを制御して該イメージ・スキャナから出力された画像データを入力する情報処理方法において、ユーザーからの入力を受け付けるステップと、前記ユーザーからの入力に応じて、前記複数のイメージ・スキャナを対象にして、動作内容をユーザーに設定させるための設定情報を含んで表示をするとともに、該表示に基づいてユーザーが設定した設定情報とユーザーの指示情報を受け付ける設定情報受付ステップと、前記設定情報受付ステップにおいて受け付けた設定情報を、前記複数のイメージ・スキャナのいずれが許容するかを決定するスキャナ決定ステップと、前記スキャナ決定ステップで決定したスキャナについての情報をユーザーに提示し、ユーザーからの指示を受け付ける結果処理ステップと、前記結果処理ステップで受け付けたユーザー指示が前記決定したイメージ・スキャナに対する読み取り指示を示す場合、前記決定したイメージ・スキャナに対して、前記設定情報受付ステップで受け付けた前記設定情報を使用して読み取り実行指示を行う実行指示ステップを備えることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００３１
【補正方法】変更
【補正の内容】
【００３１】
この選択処理は、ローカルの場合は接続されているイメージ・スキャナに問い合わせることで、ネットワークの場合は、イメージ・スキャナのサーバに問い合せることで、利用可能なイメージ・スキャナの装置情報を得て、利用者の設定条件と照らし合わせることで実行可能である。また、事前にこのような操作をして、本発明が適用される情報処理装置内に利用可能なイメージ・スキャナの装置情報を格納しておくことも可能である。この場合、イメージ・スキャナの電源がオフされている場合でも、電源をオンすれば利用可能なイメージ・スキャナを含めた情報をユーザーに提示可能になる利点がある。